(57)【要約】【課題】レンズホルダを小型化、薄型化してもレンズホルダへの給電線を兼ねた弾性支持部材をコイルに確実に接続可能とするとともに、簡単な構成及び方法で、コイルと給電線との接続を可能とする光ヘッド装置およびその製造方法を提供すること。【解決手段】  光ヘッド装置において、レンズホルダ２をチルト方向、フォーカシング方向、およびトラッキング方向に駆動するためのコイル給電線を兼ねた弾性支持部材６１、７１、８１を導電性の金属板６０、７０、８０で構成し、かつ、金属板７０、８０には、弾性支持部材７１、８１と一体のコイル接続用端子７２、８２を形成しておく。一方、コイル接続用端子６２は、金属板６０、７０、８０をレンズホルダにインサート成形した後、金属板６０に一体に設けた延設部６３同士を連結する連結部分６４の不要部分を切除することにより形成する。【選択図】    図３
2006155742.tif 000002
【特許請求の範囲】
【請求項１】
トラッキング方向を左右方向としたとき、少なくとも、光源からの出射光を光記録媒体
に収束させる対物レンズを保持するとともに、該対物レンズの光軸方向に形成された開口部を有するレンズホルダと、該レンズホルダをフォーカシング方向、トラッキング方向、およびチルト方向の何れかの方向に駆動するための駆動コイルと、該駆動コイルの給電線を兼ねた左右一対の弾性支持部材と、該弾性支持部材を介して前記レンズホルダを支持する固定側部材とを有する光ヘッド装置において、
前記弾性支持部材は、基端側が前記固定側部材に支持された金属板により構成されているとともに、先端側が前記レンズホルダに埋め込まれて当該レンズホルダに連結され、
前記レンズホルダ内には、前記弾性支持部材と一体形成された導電性を有する延設部が埋め込まれ、
前記弾性支持部材を前記開口部外周面側と対向配置させるとともに、前記延設部の一部を前記開口部内周面側に露出させ、この露出部分を前記駆動コイルが接続されるコイル接続用端子としたことを特徴とする光ヘッド装置。
【請求項２】
請求項１において、前記レンズホルダは樹脂成形品であることを特徴とする光ヘッド装置。
【請求項３】
請求項１又は２において、前記開口部内側に磁気回路部材の一部が配置されるとともに、前記コイル接続用端子は前記開口部内周面側に設けられた凹部内にその全部又は一部が収納されていることを特徴とする光ヘッド装置。
【請求項４】
請求項１ないし３において、前記駆動コイルは、前記開口部内周面側に配置されていることを特徴とする光ヘッド装置。
【請求項５】
レンズ搭載部と開口部とを有する樹脂製のレンズホルダを具備し、弾性支持部材を介して前記レンズホルダを支持する固定側部材とを有する光ヘッド装置の製造方法において、
前記レンズホルダを樹脂成形する前、１枚の導電性金属板に対して、前記弾性支持部材と、この弾性支持部材の長さ方向に延びた左右一対の延設部と、前記延設部同士を連結する連結部分とを一体的に形成する工程と、
前記レンズホルダを樹脂成形する際、前記連結部分が前記レンズホルダから露出するように前記延設部をインサート成形する工程と、
前記レンズホルダを樹脂成形した後、前記レンズホルダから露出している前記連結部分の一部を切除して前記コイル接続用端子を形成する工程とを具備することを特徴とする光ヘッド装置の製造方法。
【請求項６】
請求項５において、前記延設部をインサート成形する工程では、前記延設部における前記レンズホルダへのインサート部の基端側のみを治具で保持し、インサート成形することを特徴とする光ヘッド装置の製造方法。
【発明の詳細な説明】
【技術分野】
【０００１】
本発明は、ＣＤやＤＶＤなどの光記録ディスクの再生等に用いられる光ヘッド装置、お
よびその製造方法に関するものである。さらに詳しくは、光ヘッド装置において、対物レ
ンズを保持したレンズホルダを駆動する磁気駆動機構のコイル接続用端子の構造及びその製造方法に関するものである。
【背景技術】
【０００２】
ＣＤやＤＶＤなどの光記録ディスクの再生等に用いられる光ヘッド装置としては、対物
レンズを保持したレンズホルダを複数本のワイヤで支持したワイヤサスペンション方式のものが知られており、この種の光ヘッド装置では、磁気駆動回路により、レンズホルダをトラッキング方向、およびフォーカシング方向に駆動している。また、レンズホルダに搭載されたコイルに給電を行うために、レンズホルダの側面に中継基板を取り付け、この中継基板に設けたリード端子にコイルを接続するとともに、サスペンションワイヤを、前記中継基板に設けられ前記リード端子に導電接続されたワイヤ端子に接続することでサスペンションワイヤをコイルへの給電線として利用している（例えば、特許文献１参照）。    
【特許文献１】特開平１０−１８８３０７号公報
【発明の開示】
【発明が解決しようとする課題】
【０００３】
このような光ヘッド装置において、レンズホルダを全体として小型又は薄型にするために、コイルが接続されるリード端子を各サスペンションワイヤ間に配設することが提案されている。しかしながら、さらに小型化、薄型化に対応しようとすると、各サスペンションワイヤにおける上下の間隔を十分確保することが極めて困難となり、ハンダ付け固定の際、サスペンションワイヤが干渉となり、誤って、サスペンションワイヤにハンダが付着してしまうという問題点がある。
【０００４】
また、小型、薄型化の方法として、一枚の金属板でレンズホルダを支持する弾性支持部材と、この弾性支持部材の先端側から一体的に延びる延設部とを設け、前記延設部の一部にコイル接続用端子を形成し、前記延設部をレンズホルダにインサート成形することが考えられる。しかし、延設部におけるリード端子の設置位置、特に弾性支持部材先端側から離れた位置に前記端子を形成する場合には、金属板の剛性不足により射出成形圧に負け、リード端子の配設位置が安定しないという問題がある。
【０００５】
この問題に対応するため、弾性支持部材の先端側近傍と前記延設部のリード端子位置近傍において押え治具等で保持しインサート成形することが考えられる。しかしながら、レンズホルダの磁気回路部材が配置される開口部を形成する枠体の平面方向の肉厚部分に前記押え治具のために肉厚に近い大きな孔を開けてしまう結果となり、薄型、小型のレンズホルダにおいて剛性低下を招くという問題がある。
【０００６】
これを解消するため、押え治具が配置される部分のみレンズホルダの平面方向の肉厚を大きくすることが考えられるが、肉厚を大きくすれば、サスペンションや開口部に配置される磁気回路部材と干渉する可能性もあり、また、前記肉厚部を避けるために磁気回路部材を小さくすると、駆動力の低下につながる欠点を有する。
【０００７】
以上の問題点に鑑みて、本発明の課題は、簡単な構成及び方法で、レンズホルダを小型化、薄型化又は軽量化してもレンズホルダへの給電線を兼ねた弾性支持部材をコイルに確実に接続可能な光ヘッド装置およびその製造方法を提供することにある。
【課題を解決するための手段】
【０００８】
上記課題を解決するために、本発明では、トラッキング方向を左右方向としたとき、少なくとも、光源からの出射光を光記録媒体に収束させる対物レンズを保持するとともに、該対物レンズの光軸方向に形成された開口部を有するレンズホルダと、該レンズホルダをフォーカシング方向、トラッキング方向、およびチルト方向の何れかの方向に駆動するための駆動コイルと、該駆動コイルの給電線を兼ねた左右一対の弾性支持部材と、該弾性支持部材を介して前記レンズホルダを支持する固定側部材とを有する光ヘッド装置において、前記弾性支持部材は、基端側が前記固定側部材に支持された金属板により構成されているとともに、先端側が前記レンズホルダに埋め込まれて当該レンズホルダに連結され、前記レンズホルダ内には、前記弾性支持部材と一体形成された導電性を有する延設部が埋め込まれ、前記弾性支持部材を前記開口部外周面側と対向配置させるとともに、前記延設部の一部を前記開口部内周面側に露出させ、この露出部分を前記駆動コイルが接続されるコイル接続用端子としたことを特徴とする。
【０００９】
本発明では、前記レンズホルダは樹脂成形品である。従って、レンズホルダを樹脂成形する際、前記金属板をインサート成形することが可能となり、容易にコイル接続用端子を形成できる。
【００１０】
さらに、本発明では、前記開口部内側に磁気回路部材の一部が配置されるとともに、前記コイル接続用端子は前記開口部内周面側に設けられた凹部内にその全部又は一部が収納されている。このため、開口部内に配置される磁気回路部材と干渉することもない。
【００１１】
本発明において、前記駆動コイルは、前記開口部内周面側に配置されている。このような構成をとると、コイルを端子に接続するためにコイルを開口部内周側から外周側に引き出すための引き出し部（案内溝、切り欠き等）をレンズホルダに設けなくてもよい。従って薄型化されたレンズホルダの剛性低下を防ぐことができる。
【００１２】
本発明では、レンズ搭載部と開口部とを有する樹脂製のレンズホルダを具備し、弾性支持部材を介して前記レンズホルダを支持する固定側部材とを有する光ヘッド装置の製造方法において、前記レンズホルダを樹脂成形する前、１枚の導電性金属板に対して、前記弾性支持部材と、この弾性支持部材の長さ方向に延びた左右一対の延設部と、前記延設部同士を連結する連結部分とを一体的に形成する工程と、前記レンズホルダを樹脂成形する際、前記連結部分が前記レンズホルダから露出するように前記延設部をインサート成形する工程と、前記レンズホルダを樹脂成形した後、前記レンズホルダから露出している前記連結部分の一部を切除して前記コイル接続用端子を形成する工程とを具備することを特徴とする。
【００１３】
また本発明に係る光ヘッド装置の製造方法では、前記延設部をインサート成形する工程では、前記延設部における前記レンズホルダへのインサート部の基端側のみを治具で保持し、インサート成形することが好ましい。このような方法をとると、前記連結部分が延設部全体の剛性を高め、インサート成形時にコイル接続用端子近傍を押え治具で保持する必要がなく、レンズホルダの平面方向の肉厚部に大きな孔を開けずに済む。従って、レンズホルダの剛性を確保できる。
【発明の効果】
【００１４】
本発明の光ヘッド装置では、前記延設部の一部をレンズホルダの開口部内周面側に露出させ、この露出部分を前記駆動コイルが接続されるコイル接続用端子としている。このため、前記駆動コイルの前記端子との接続時に、給電線を兼ねた弾性支持部材が干渉とならず、作業性が向上し、確実な接続が可能となる。
【００１５】
また、本発明の光ヘッド装置の製造方法では、１枚の導電性金属板に対して、前記弾性支持部材と、この弾性支持部材の長さ方向に延びた左右一対の延設部と、前記延設部同士を連結する連結部分とを一体的に形成する工程と、前記レンズホルダを樹脂成形する際、前記連結部分が前記レンズホルダから露出するように前記延設部をインサート成形する工程と、前記レンズホルダを樹脂成形した後、前記レンズホルダから露出している前記連結部分の一部を切除して前記コイル接続用端子を形成する工程を具備している。このため、端子を特別に設ける必要が無く、簡単な構成且つ方法でコイルと給電線とを接続するためのコイル接続用端子を設けることが可能となる。
【発明を実施するための最良の形態】
【００１６】
以下に、図面を参照して、本発明を適用した光ヘッド装置を説明する。なお、以下の説
明では、第１、第２および第３の弾性支持部材をそれぞれチルト駆動用、フォーカシング
駆動用、およびトラッキング駆動用の弾性支持部材とし、レンズホルダのトラッキング駆
動方向を左右方向として説明する。
【００１７】
（全体構成）
図１（ａ）、（ｂ）は、本発明を適用した光ヘッド装置の平面図、および右側面図である。図２（ａ）、（ｂ）は、本発明を適用した光ヘッド装置を斜め上方からみた斜視図、および斜め下方からみた斜視図である。図３は、本発明を適用した光ヘッド装置のレンズホルダの開口部に形成したコイル接続用端子の説明図である。
【００１８】
図１（ａ）、（ｂ）および図２（ａ）、（ｂ）に示す光ヘッド装置１は、ＣＤやＤＶＤなどの光記録ディスクの再生等に用いられるものであり、この光ヘッド装置１では、光源からの出射光を光記録媒体に収束させる対物レンズ２０を保持した樹脂製のレンズホルダ２を弾性支持部材６１、７１、８１で支持したリーフサスペンション方式が採用されている。
【００１９】
本形態の光ヘッド装置１では、対物レンズ２０を保持するレンズホルダ２と、固定側部
材５とが対向配置されており、レンズホルダ２の側に搭載された駆動コイル６、７、８と
、ベースとしてのヨーク４の側に直接、あるいは間接的に搭載されたマグネット１６、１
７、１８とによって、レンズホルダ２をフォーカシング方向、トラッキング方向、および
チルト方向に駆動するための磁気駆動回路が構成されている。すなわち、レンズホルダ２
には、固定側部材５の側から先端側に向かって、チルト駆動用のコイル６、トラッキング
駆動用のコイル８、フォーカシング駆動用のコイル７がこの順に配置されている。
【００２０】
これらのコイルのうち、トラッキング駆動用のコイル８は、レンズホルダ２の幅方向に
おける中央位置に形成された第１の開口部２１に配置され、フォーカシング駆動用のコイルは、第1の開口部２１に対して対物レンズ２０が搭載されている側で隣接する第２の開口部２２の内側に配置されている。また、チルト駆動用のコイル６は、レンズホルダ２において、固定側部材５と対向する位置に配置されている。従って、固定側部材５においてレンズホルダ２と対向する位置にチルト駆動用のマグネット１６が配置され、レンズホルダ２の第１の開口部２１の内側にトラッキング駆動用のマグネット１８が配置され、レンズホルダ２の第２の開口部２２の内側にフォーカシング駆動用のマグネット１７が配置されている。なお、ヨーク４は、レンズホルダ２の第１の開口部２１を貫通してレンズホルダ２を覆う上面部４１を備えている。また、チルト駆動用のマグネット１６は、チルト用ヨーク１６０を介して固定側部材５に保持されている。
【００２１】
レンズホルダ２と固定側部材５との間には、レンズホルダ２をチルト方向に駆動するた
めのコイル給電線を兼ねた左右一対のチルト駆動用の弾性支持部材６１、レンズホルダ２
をフォーカシング方向に駆動するためのコイル給電線を兼ねた左右一対のフォーカシング
駆動用の弾性支持部材７１と、レンズホルダをトラッキング方向に駆動するためのコイル
給電線を兼ねた左右一対のトラッキング駆動用の弾性支持部材８１とが配置されている。
【００２２】
チルト駆動用の弾性支持部材６１、フォーカシング駆動用の弾性支持部材７１、および
トラッキング駆動用の弾性支持部材８１は、上段から下段に向けてこの順に多段に配置さ
れ、かつ、平面的には重なった位置に配置されている。また、各弾性支持部材６１、７１および８１はいずれも、レンズホルダ２の左右側面に先端側が接続され、基端側は固定側
部材５に対して接続されている。なお、固定側部材５には、チルト駆動用の弾性支持部材
６１、フォーカシング駆動用の弾性支持部材７１、およびトラッキング駆動用の弾性支持
部材８１に対するゲルポット５０が配置されている。
【００２３】
このように構成した光ヘッド装置１のレンズホルダ２や前記弾性支持部材６１、７１、８１の詳細構成については、光ヘッド装置１の製造方法を説明しながら後述するが、レンズホルダ２および固定側部材５はいずれも、同一の樹脂材料を用いた樹脂成形品から構成されている。
【００２４】
また、各弾性支持部材６１、７１、および８１はいずれも、同一の材料からなる導電性の金属板から構成されており、また、図４（ａ）、（ｂ）、（ｃ）を参照して後述する金属板６０、７０、８０をインサート成形したものであり、各弾性支持部材６１、７１、および８１の各先端側は、レンズホルダ２において弾性支持部材６１、７１、８１が延びている方向における略中央位置で埋め込まれ、各基端側は固定側部材５においてレンズホルダ２が位置する側の端面に埋め込まれている。
【００２５】
レンズホルダ２では、チルト駆動用のコイル端部が接続されたコイル接続用端子６２と
、フォーカシング駆動用のコイル端部が接続されたコイル接続用端子７２と、トラッキン
グ駆動用のコイル端部が接続されたコイル接続用端子８２とが突出している。
【００２６】
本形態では、これらのコイル接続用端子６２、７２、８２も、図４（ａ）、（ｂ）、（ｃ）を参照して後述する金属板６０、７０、８０の一部によって構成され、コイル接続用端子６２、７２、８２と弾性支持部材６１、７１、８１とは一体に形成されている。なお、各コイル接続用端子６２、７２、８２において、コイル端部は、各コイル接続用端子６２、７２、８２に巻回された状態でハンダ付けされている。
【００２７】
ここで、チルト駆動用の弾性支持部材６１、フォーカシング駆動用の弾性支持部材７１
、およびトラッキング駆動用の弾性支持部材８１の各先端側は、レンズホルダ２において
弾性支持部材６１、７１、８１が延びている方向における略中央位置で埋め込まれ、その
埋め込み位置に近い位置にフォーカシング駆動用のコイル７、およびトラッキング駆動用
のコイル８が配置されている。
【００２８】
これに対して、チルト駆動用のコイル６は、チルト駆動用の弾性支持部材６１の先端側
から遠い位置（固定側部材５が位置する方）に配置されており、本形態では、チルト駆動
用のコイル端部が接続されたコイル接続用端子６２は、チルト駆動用のコイル６に近い位
置に配置されている。それ故、各駆動用のコイル６、７および８は、コイル端部の引き回し作業を効率よく行うことができる。
【００２９】
ここで、チルト駆動用の弾性支持部材６１とコイル接続用端子６２とは、共通の導電性金属板に打ち抜き加工等により一体に形成され、その間の部分はレンズホルダ２内に埋め込まれている。本形態では、以下に説明するように、金属板のレンズホルダ２への埋め込み部分である延設部６３をレンズホルダ２に対する補強板として利用している。
【００３０】
（光ヘッド装置の製造方法）
図４（ａ）、（ｂ）、（ｃ）は、本形態の光ヘッド装置の製造方法においてインサート成形する前の金属板の構成を示す平面図であり、図４（ａ）、（ｂ）、（ｃ）はそれぞれ、チルト駆動用の弾性支持部材を形成するための金属板、フォーカシング駆動用の弾性支持部材を形成するための金属板、およびトラッキング駆動用の弾性支持部材を形成するための金属板の平面図である。
【００３１】
本形態の光ヘッド装置を製造するにあたっては、先ず、１枚の薄板状の金属板をプレス加工等で所定形状に打ち抜く。この場合、金属板１枚につき１個の所定形状パターンに打ち抜いてもよいし、帯状の金属板を利用し複数個一度に所定形状に打ち抜いてもよい。
【００３２】
次に、レンズホルダ２および固定側部材５を樹脂成形する際、前記のように所定形状に打ち抜き形成した図４（ａ）、（ｂ）、（ｃ）に示すリードフレーム状の金属板６０、７０、８０を三枚所定の隙間を介して重ねた状態でインサート成形を行う。
【００３３】
ここで、図４（ａ）に示す金属板６０には、矩形枠部分６５から内側に向かって計４つ
の連結部６９が延びており、それらの先端側には、チルト駆動用の弾性支持部材６１と、
この弾性支持部材６１の先端側から内側に屈曲した後、基端側に向けて弾性支持部材６１
と平行に長く延びた延設部６３と、この延設部６３の中間部で延設部６３同士を連結する細幅の連結部分６４が形成されている。図４（ａ）において、点線で示す部分がインサート成形によりレンズホルダ２および固定側部材５が形成される樹脂部分であり、インサート成形した際、矩形枠部分６５、連結部６９、弾性支持部材６１および連結部分６４がレンズホルダ２および固定側部材５から露出する。従って、連結部６９で余剰な部分をレーザカット等で切除すると、レンズホルダ２および固定側部材５からチルト駆動用の弾性支持部材６１とコイル接続用端子６２とが露出した状態で残る。この場合、チルト駆動用の弾性支持部材６１はレンズホルダ２の外側に露出し、一方コイル接続用端子６２はレンズホルダ２の開口部２１の内周面側に前記コイル接続用端子６２の先端部同士を相対向させた状態で露出することとなる。これに対して、延設部６３は、弾性支持部材６１と平行に長く延びた状態でレンズホルダ２に左右対称に埋め込まれる結果、レンズホルダ２の剛性を高めるのに寄与する。このようにして、弾性支持部材６１と同一材質および同一厚の延設部６３が構成される。
【００３４】
また、前述のように図４（ａ）に示す金属板６０では、延設部６３同士を連結する細幅の連結部分６４が形成されている。この連結部分は、チルト駆動用のコイル６とのコイル接続用端子６２になる部分のため、インサート成形後に前記チルト駆動用のコイル６の配設位置近傍に位置するよう本形態では前記延設部６３の中間部に設けられている。従って、延設部６３は、細く延びているが、前記連結部分６４で補強されているので、インサート成形時、射出成形圧で変形することがなく、前記延設部６３をレンズホルダ２の所定の位置に埋め込むことができる。この結果、前記コイル接続用端子６２の位置が正確に決まる。なお、本形態では、前記インサート成形は前記延設部６３における前記レンズホルダへのインサート部の基端側６３ａを図示しないピン状の治具で保持するとともに、先端側６３ｂは前記連結部分により連結された状態にてインサート成形している。この場合、前記基端側６３ａは弾性支持部材６１とは直接干渉しない位置のためレンズホルダの肉厚を比較的大きくでき、前記ピン状の治具で保持することによって生じるインサート成形後の孔の影響、即ちレンズホルダの剛性低下の問題も生じない。
【００３５】
図４（ｂ）に示す金属板７０には、矩形枠部分７５から内側に向かって計４つの連結部
７９が延びており、その先端側には、フォーカシング駆動用の弾性支持部材７１と、この
弾性支持部材７１の先端側から内側に屈曲した後、さらに先端側に向けて延びてコイル接
続用端子７２を構成する部分と、弾性支持部材７１の先端側から内側に屈曲した後、基端
側に向けて短く延びた延設部７３とが構成されている。図４（ｂ）においても、点線で示
す部分がインサート成形によりレンズホルダ２および固定側部材５が形成される樹脂部分
であり、インサート成形した際、矩形枠部分７５、連結部分７９、弾性支持部材７１およ
びコイル接続用端子７２がレンズホルダ２および固定側部材５から露出する。従って、連
結部分７９で余剰な部分を切除すると、レンズホルダ２および固定側部材５からフォーカ
シング駆動用の弾性支持部材７１とコイル接続用端子７２とが露出した状態で残る。
【００３６】
図４（ｃ）に示す金属板８０には、矩形枠部分８５から内側に向かって計４つの連結部
８９が延びており、その先端側には、トラッキング駆動用の弾性支持部材８１と、この弾
性支持部材８１の先端側から内側に屈曲した後、さらに先端側に向けて延びてコイル接続
用端子８２を構成する部分とが構成されている。図４（ｃ）においても、点線で示す部分
がインサート成形によりレンズホルダ２および固定側部材５が形成される樹脂部分であり
、インサート成形した際、矩形枠部分８５、連結部分８９、弾性支持部材８１およびコイ
ル接続用端子８２がレンズホルダ２および固定側部材５から露出する。従って、連結部分
８９で余剰な部分を切除すると、レンズホルダ２および固定側部材５からトラッキング駆
動用の弾性支持部材８１とコイル接続用端子８２とが露出した状態で残る。
【００３７】
（本形態の主な効果）
以上説明したように、本形態の光ヘッド装置１では、コイル接続用端子６２をレンズホルダ２の開口部２１内周面側に露出させて形成したため、コイルとの接続時に弾性支持部材６１、７１、８１がハンダ付け作業の邪魔になることもなく作業が容易となる。
【００３８】
また、本形態の光ヘッド装置の製造方法では、チルト駆動用の弾性支持部材６１を構成する金属板６０には延設部６３同士を連結する連結部分６４を設けたため、この連結部分を切除することで簡単にコイル接続用端子６２を形成できる。即ち、配線基板等を介し特別なコイル接続用端子を設ける必要がなく部品点数も削減できる。
【００３９】
（その他の実施の形態）
上記形態において、延設部６３、７３は、弾性支持部材６１、７１と一体に構成されて
いたが、延設部６３、７３と弾性支持部材６１、７１とはレンズホルダ２内で分離してい
てもよい。このような延設部の形成は、金属板６０、７０において、延設部を連結部６９
、７９で矩形枠部分６５、７５に接続しておけば可能である。
【００４０】
また、上記形態では、フォーカシング駆動用のコイル及びトラッキング駆動用のコイルに対するコイル接続用端子７２及び８２は、レンズホルダ２の側面に形成したが、レンズホルダ２のチルト駆動用のコイル接続用端子と同様、レンズホルダ２の開口部２１の内周面側にコイル接続用端子７２及び８２を配置してもよい。このように構成すると、弾性支持部材６１、７１、８１が通っていない箇所でコイル接続作業を行えるので、作業性がよいという利点がある。この場合各端子６２、７２及び８２は、レンズホルダ２の上面からみて、重ならない位置に設けるのが好ましい。
【００４１】
さらにまた、上記形態では、コイル接続用端子６２の先端部が相対向する状態でレンズホルダ２の開口部２１の内周面側に露出させているが、延設部６３同士を連結する連結部分６４の位置がチルト駆動用のコイルが固着されたレンズホルダ２の後端部（固定側部材に対向した部分）にくるよう配置し、図５に示すようにコイル接続端子６２を並列に配設してもよい。
【００４２】
又、上記形態では、コイル接続用端子６２はレンズホルダ２の開口部２１の内周面側に突出させているが、図６で示すように前記内周面側に凹部２ａを設けこの中に前記端子６２の一部又は全部を収納させるようにしてもよい。なお、図６（ａ）は金属板６０とレンズホルダ２とをインサート成形後に金属板の不要部分を切除した状態を示し、図６（ｂ）は切除前の状態（インサート成形直後の形状）を示す。こうすれば、前記開口部２１の内側に配置される例えば磁石やヨーク等の磁気回路部材との干渉がなくなるか大幅に低減される効果を有する。
【００４３】
また、上記形態では、チルト駆動用のコイルに対するコイル接続用端子６２は左右の弾性支持部材６１に対応するよう１対のみ設けたが、延設部の一部にさらに端子構成部分を形成し、複数対としてもよい。このようにすると、使用者側の要求等に合わせ最適なコイル接続用端子の位置を適宜選択することが可能となる。
【図面の簡単な説明】
【００４４】
【図１】（ａ）、（ｂ）は、本発明を適用した光ヘッド装置の平面図、および右側面図である。
【図２】（ａ）、（ｂ）は、本発明を適用した光ヘッド装置を斜め上方からみた斜視図、および斜め下方からみた斜視図である。
【図３】本発明を適用した光ヘッド装置のレンズホルダの開口部に形成したコイル接続用端子の説明図である。
【図４】（ａ）、（ｂ）、（ｃ）は、本形態の光ヘッド装置の製造方法においてインサート成形する前の金属板を構成を示す平面図である。
【図５】本発明を適用した光ヘッド装置のレンズホルダに対して図１（ａ）に示す位置とは異なる位置にコイル接続用端子を形成した場合の説明図である。
【図６】（ａ）、（ｂ）は、本発明を適用した光ヘッド装置のレンズホルダに対して図３に示す構成とは異なる露出態様でコイル接続用端子を形成した場合の説明図である。
【符号の説明】
【００４５】
１  光ヘッド装置
２  レンズホルダ
５  固定側部材
６  チルト駆動用のコイル
７  フォーカシング駆動用のコイル
８  トラッキング駆動用のコイル
１６  チルト駆動用のマグネット
１７  フォーカシング駆動用のマグネット
１８  トラッキング駆動用のマグネット
６０、７０、８０  金属板
６１、７１、８１  弾性支持部材
６２、７２、８２  コイル接続端子
６３、７３  補強板
６４  連結部分
【図１】
2006155742.tif 000003
【図２】
2006155742.tif 000004
【図３】
2006155742.tif 000005
【図４】
2006155742.tif 000006
【図５】
2006155742.tif 000007
【図６】
2006155742.tif 000008